(57)【要約】【課題】データ放送サービスとともにネットワーク・サービスを好適に利用することができる放送システムを提供する。【解決手段】データ放送の開始とともに、擬似データ放送コンテンツ “ｓｔａｒｔｕｐ．ｂｍｌ”が起動する。ここで、リモコンのｄボタンが操作されたときには、ｄａｔａ＿ｂｕｔｔｏｎ＿ｐｒｅｓｓｅｄイベントが発行され、本来データ放送として実行すべきデータ放送コンテンツの基点（トップ・ページ“ｓｔａｒｔｕｐ２．ｂｍｌ”）に遷移する。一方、カラーキーなどのリモコンの“ｓｅｌｅｃｔ”キーが操作されてことに応じて、ＶｏＤのポータル画面へ遷移する。【選択図】  図６
2013121046.tif 000002
【特許請求の範囲】
【請求項１】
データ放送コンテンツが多重化された放送信号を受信する放送受信部と、
ネットワークに接続するネットワーク接続部と、
放送コンテンツとデータ放送コンテンツの連動を指示するデータ連動ボタンと、その他のキー又はボタンからのユーザー操作を入力する操作入力部と、
表示部と、
前記放送受信部又は前記ネットワーク接続部で受信した放送コンテンツを前記表示部に表示する放送コンテンツ表示部と、
前記ネットワーク接続部を介して取得したネットワーク・コンテンツを処理して前記表示部に表示するネットワーク・コンテンツ処理部と、
前記データ連動ボタンの操作に応じて放送コンテンツに付随するデータ放送コンテンツの起動を指示する第１の指示部と、前記その他のキー又はボタンの操作に応じて前記ネットワーク上の所定のサイトへの遷移を指示する第２の指示部を有する擬似データ放送コンテンツを処理する擬似データ放送コンテンツ処理部と、
放送コンテンツに付随するデータ放送コンテンツを処理して、データ放送画面を前記表示部に表示するデータ放送コンテンツ処理部と、
を具備する受信装置。
【請求項２】
擬似データ放送コンテンツは、放送コンテンツに付随するデータ放送コンテンツと同じ記述言語形式で記述される、
請求項１に記載の受信装置。
【請求項３】
擬似データ放送コンテンツは表示情報を含まず、
前記擬似データ放送コンテンツ処理部が擬似データ放送コンテンツを処理している際、前記放送コンテンツ表示部が視聴中の放送コンテンツをそのまま前記表示部に表示し続ける、
請求項１に記載の受信装置。
【請求項４】
前記擬似データ放送コンテンツ処理部は、前記放送受信部又は前記ネットワーク接続部を介して取得した擬似データ放送コンテンツを処理する、
請求項１に記載の受信装置。
【請求項５】
前記擬似データ放送コンテンツ処理部は、前記受信装置内に組み込まれた擬似データ放送コンテンツを処理する、
請求項１に記載の受信装置。
【請求項６】
擬似データ放送コンテンツはデータ放送開始時のスタートアップ文書に設定され、
前記放送受信部で受信する放送信号にデータ放送の自動起動を指示するシステム記述子が含まれているときに、前記擬似データ放送コンテンツ処理部は、擬似データ放送コンテンツの処理を起動する、
請求項１に記載の受信装置。
【請求項７】
受信した放送コンテンツを表示する放送コンテンツ表示ステップと、
データ連動ボタンの操作に応じて放送コンテンツに付随するデータ放送コンテンツの起動を指示する第１の指示部と、その他のキー又はボタンの操作に応じてネットワーク上の所定のサイトへの遷移を指示する第２の指示部を有する擬似データ放送コンテンツを処理する擬似データ放送コンテンツ処理ステップと、
前記データ連動ボタンが操作されたことに応じて、放送コンテンツに付随するデータ放送コンテンツを処理して、データ放送画面を表示するデータ放送コンテンツ処理ステップと、
前記その他のキー又はボタンが操作されたことに応じて、前記ネットワーク上の所定のサイトのポータル画面へ遷移するネットワーク処理ステップと、
を有する表示制御方法。
【請求項８】
データ放送コンテンツを多重化した放送信号を送信する放送局と、放送信号を受信する受信局で構成され、
前記受信局は、
データ連動ボタンの操作に応じて放送コンテンツに付随するデータ放送コンテンツの起動を指示する第１の指示部と、その他のキー又はボタンの操作に応じてネットワーク上の所定のサイトへの遷移を指示する第２の指示部を有する擬似データ放送コンテンツを取得し、
前記放送局がデータ放送を開始したことに伴って、擬似データ放送コンテンツの処理を起動して、
前記データ連動ボタンが操作されたことに応じて、放送コンテンツに付随するデータ放送コンテンツを処理して、データ放送画面を表示し、
前記その他のキー又はボタンが操作されたことに応じて、前記ネットワーク上の所定のサイトのポータル画面へ遷移する、
放送システム。
【請求項９】
データ放送コンテンツが多重化された放送信号を受信する放送受信部、
ネットワークに接続するネットワーク接続部、
放送コンテンツとデータ放送コンテンツの連動を指示するデータ連動ボタン、その他のキー又はボタンからのユーザー操作を入力する操作入力部、
表示部、
前記放送受信部又は前記ネットワーク接続部で受信した放送コンテンツを前記表示部に表示する放送コンテンツ表示部、
前記ネットワーク接続部を介して取得したネットワーク・コンテンツを処理して前記表示部に表示するネットワーク・コンテンツ処理部、
前記データ連動ボタンの操作に応じて放送コンテンツに付随するデータ放送コンテンツの起動を指示する第１の指示部と、前記その他のキー又はボタンの操作に応じて前記ネットワーク上の所定のサイトへの遷移を指示する第２の指示部を有する擬似データ放送コンテンツを処理する擬似データ放送コンテンツ処理部、
放送コンテンツに付随するデータ放送コンテンツを処理して、データ放送画面を前記表示部に表示するデータ放送コンテンツ処理部、
としてコンピューターを機能させるようコンピューター可読形式で記述されたコンピューター・プログラム。
【発明の詳細な説明】
【技術分野】
【０００１】
本明細書で開示する技術は、放送信号を受信して放送コンテンツを表示する受信装置、表示制御方法、放送システム、並びにコンピューター・プログラムに係り、特に、データ放送サービスとともにネットワーク・サービスを利用する受信装置、表示制御方法、放送システム、並びにコンピューター・プログラムに関する。
【背景技術】
【０００２】
現在、世界の各国において、地上波、衛星波、ケーブルなどの放送システムにおいて、ディジタル化への移行が進められている。ディジタル放送では、併せてデータ放送を送信することで、インタラクティブな放送サービスを実現することができる。
【０００３】
例えば、日本国内で運用されているＩＳＤＢ（Ｉｎｔｅｇｒａｔｅｄ  Ｓｅｒｖｉｃｅｓ  Ｄｉｇｉｔａｌ  Ｂｒｏａｄｃａｓｔｉｎｇ）方式のディジタル放送は、データ放送も特徴の１つであり、各放送事業者などから、放送番組本体（以下、「放送コンテンツ」とも呼ぶ）に付随してディジタル伝送データ（以下、「データ放送コンテンツ」とも呼ぶ）が並行して配信されている。より具体的には、ＭＰＥＧ（Ｍｏｖｉｎｇ  Ｐｉｃｔｕｒｅ  Ｅｘｐｅｒｔ  Ｇｒｏｕｐ）２など所定の圧縮方式で圧縮されたＡＶコンテンツと、ＢＭＬ（Ｂｒｏａｄｃａｓｔ  Ｍａｒｋｕｐ  Ｌａｎｇｕａｇｅ）などの符号化方式によるデータ放送コンテンツを多重化して構成されたトランスポート・ストリームの形式で、放送信号が配信される。ここで、ＢＭＬは、ＸＭＬ（ｅＸｔｅｎｓｉｂｌｅ  Ｍａｒｋｕｐ  Ｌａｎｇｕａｇｅ）を基に策定され、マルチメディア・データの配置位置の指定機能や、Ｊａｖａ（登録商標）スクリプトの標準規格であるＥＣＭＡスクリプトによるスクリプト実行機能、ＤＯＭ（Ｄｏｃｕｍｅｎｔ  Ｏｂｊｅｃｔ  Ｍｏｄｅｌ）によるＸＭＬの操作機能などを備えている。データ放送コンテンツは、例えば、静止画、動画、音声、図形・文字などのメディア・データを含んで、これらのデータを統合した表現形式や動作をＢＭＬ形式の文書で記述している。
【０００４】
ＴＶにおけるデータ放送は、リモコンに設けられた「ｄボタン」などのデータ連動ボタンを操作することに対応して開始される（ちなみに、イギリスでは、赤のカラーキーをデータ連動ボタンとして利用している）。例えば、ユーザーがテレビジョン番組（以下、「放送コンテンツ」とも呼ぶ）を全画面表示で視聴しているときに、ｄボタンが操作されると、データ放送コンテンツを解釈するデータ放送用ブラウザーが起動して、テレビ放送の全画面表示からデータ放送画面に遷移する。
【０００５】
ユーザーは、リモコンの赤、緑、黄色、青の各カラーキーや、カーソル・キー、決定キー、数字ボタンなどを用いて、データ放送画面上で各メディア・データの動作を指示することができる。これらリモコン上のボタンやキー操作に応じた動作は、データ放送コンテンツ内でスクリプト形式により記述することができる。例えば、ＢＭＬからリンク・ボタンの配置情報を記述したスクリプトを抽出し、抽出したスクリプトからリンク・ボタンの配置位置を特定して、配置情報をリモコン操作情報に変換し符号化するリモコン操作情報生成装置について提案がなされている（例えば、特許文献１を参照のこと）。
【０００６】
一般に、リモコン上のｄボタンはデータ放送アプリケーションの起動に、カラーキーはデータ放送画面上での操作（メニュー選択など）に、それぞれ専ら利用される。したがって、データ放送アプリケーションが動作していないときは、カラーキーを押しても何も起きない。また、データ放送コンテンツが配信されていない状態では、ｄボタンを押しても何も起きない。勿論、ｄボタンやカラーキーに、データ放送用途以外のメーカー独自の機能を割り当てることは、技術的には可能である。しかしながら、データ放送が起動すると、ｄボタン並びにカラーキーにはそのアプリケーションの機能が割り当てられることになることから、これらのキーにメーカー独自の機能を割り当てると、ユーザーの混乱を招くことになる。
【０００７】
他方、通信ネットワークのブロードバンド化とも相俟って、インターネット接続機能を備えたテレビ受像機、すなわち「インターネット・テレビ」が普及してきている。インターネット・テレビでは、インターネット接続を介して、インターネット上で提供されているサービスにより映像番組を視聴することができる。インターネット・テレビに対して番組を提供する形態として、ライブストリーミングとビデオ・オン・デマンドを挙げることができる。ライブストリーミングでは、番組をリアルタイムでオンエアするため、オンエア時間にサービスに接続する必要がある。また、ビデオ・オン・デマンドでは、クリップで好きな時間に番組を視聴することができる。例えば、インターネットを介して、映画などのコンテンツをダウンロードして蓄積し、任意のタイミングで再生できる情報処理装置（例えば、特許文献２を参照のこと）について提案がなされている。
【０００８】
ユーザーが、放送番組を視聴中に、インターネット上のサービスを利用したくなったときには（例えば、インターネット接続を介してビデオ・オン・デマンドあるいはライブストリーミングで映像番組を視聴したくなったとき）、テレビ受像機内で用意されたメニュー画面若しくはメーカー独自のポータル画面を一旦経由する必要がある。すなわち、ユーザーは、放送番組を視聴している状態から所望のポータル・サイトに直接遷移することはできず、面倒である。
【０００９】
また、複数のメーカーの製品に跨って同じインターネット・サービスを提供するには、各メーカーの製品でポータル画面に同じサービス・サイト（遷移先）へのリンク・メニューを用意してもらう必要がある。すなわち、メーカー独自のポータル画面を介してインターネット・サービスを提供する場合、メーカー横断で同じインターネット・サービスを提供するには、各メーカーの製品のポータル画面に共通するリンク・メニューを用意しなければならないので、現実的でない。
【００１０】
例えば、放送コンテンツの表示状態と、ネットワーク・コンテンツの表示状態とをシームレスに遷移する受信装置（例えば、特許文献３を参照のこと）について提案がなされている。しかしながら、この受信装置でインターネット上の所望のポータル・サイトに接続するには、放送番組を視聴している状態からメーカー独自のポータル画面を経由しなければならないので、ユーザーにとって面倒なことに相違ない。
【００１１】
放送事業者などは、データ放送コンテンツ内にインターネットのサービス・サイトへのリンク情報を記述すれば、メーカー横断でインターネット・サービスを提供することができる。しかしながら、放送コンテンツの全画面表示状態からデータ放送画面を経由しなければならないので、ユーザーにとって面倒なことに相違ない。また、新たに設置したポータル・サイトからサービスを開始する場合には、放送事業者はすべての放送番組のデータ放送コンテンツに新たなリンク情報を追加する修正を行なわなければならず、作業が膨大になってしまう。
【００１２】
また、放送事業以外の事業者など（例えば、コンテンツ・プロバイダー）が、複数の放送局に跨った（すなわち、放送局間横断的な）インターネット・サービスを提供する場合、各放送局から配信されるデータ放送コンテンツにそのポータル・サイトへのリンク情報を挿入してもらう必要があり、極めて困難である。勿論、ある放送事業者が主導してインターネット・サービスを提供するために、他の放送事業者のデータ放送コンテンツにまで手を加えることも現実的ではない。
【先行技術文献】
【特許文献】
【００１３】
【特許文献１】特開２００７−８９１１２号公報
【特許文献２】特開２００８−１０９６０６号公報
【特許文献３】特開２００９−２９６１２６号公報
【発明の概要】
【発明が解決しようとする課題】
【００１４】
本明細書で開示する技術の目的は、データ放送サービスとともにネットワーク・サービスを好適に利用することができる、優れた受信装置、表示制御方法、放送システム、並びにコンピューター・プログラムを提供することにある。
【００１５】
本明細書で開示する技術のさらなる目的は、ユーザーがテレビ放送を視聴している状態からインターネット・サービスのポータル・サイトへ円滑に遷移して、ネットワーク・サービスを好適に利用することができる、優れた受信装置、表示制御方法、放送システム、並びにコンピューター・プログラムを提供することにある。
【００１６】
本明細書で開示する技術のさらなる目的は、テレビ放送を視聴しているユーザーが、メーカー横断的、又は、放送局間横断的なネットワーク・サービスを好適に利用することができる、優れた受信装置、表示制御方法、放送システム、並びにコンピューター・プログラムを提供することにある。
【課題を解決するための手段】
【００１７】
本願は、上記課題を参酌してなされたものであり、請求項１に記載の技術は、
データ放送コンテンツが多重化された放送信号を受信する放送受信部と、
ネットワークに接続するネットワーク接続部と、
放送コンテンツとデータ放送コンテンツの連動を指示するデータ連動ボタンと、その他のキー又はボタンからのユーザー操作を入力する操作入力部と、
表示部と、
前記放送受信部又は前記ネットワーク接続部で受信した放送コンテンツを前記表示部に表示する放送コンテンツ表示部と、
前記ネットワーク接続部を介して取得したネットワーク・コンテンツを処理して前記表示部に表示するネットワーク・コンテンツ処理部と、
前記データ連動ボタンの操作に応じて放送コンテンツに付随するデータ放送コンテンツの起動を指示する第１の指示部と、前記その他のキー又はボタンの操作に応じて前記ネットワーク上の所定のサイトへの遷移を指示する第２の指示部を有する擬似データ放送コンテンツを処理する擬似データ放送コンテンツ処理部と、
放送コンテンツに付随するデータ放送コンテンツを処理して、データ放送画面を前記表示部に表示するデータ放送コンテンツ処理部と、
を具備する受信装置である。
【００１８】
本願の請求項２に記載の技術によれば、請求項１に記載の受信装置で扱われる擬似データ放送コンテンツは、放送コンテンツに付随するデータ放送コンテンツと同じ記述言語形式で記述されている。
【００１９】
本願の請求項３に記載の技術によれば、請求項１に記載の受信装置で扱われる擬似データ放送コンテンツは表示情報を含まない。したがって、擬似データ放送コンテンツ処理部が擬似データ放送コンテンツを処理している際、前記放送コンテンツ表示部が視聴中の放送コンテンツをそのまま前記表示部に表示し続けるように構成されている。
【００２０】
本願の請求項４に記載の技術によれば、請求項１に記載の受信装置の擬似データ放送コンテンツ処理部は、前記放送受信部又は前記ネットワーク接続部を介して取得した擬似データ放送コンテンツを処理するように構成されている。
【００２１】
本願の請求項５に記載の技術によれば、請求項１に記載の受信装置の擬似データ放送コンテンツ処理部は、前記受信装置内に組み込まれた擬似データ放送コンテンツを処理するように構成されている。
【００２２】
本願の請求項６に記載の技術によれば、請求項１に記載の受信装置で扱われる擬似データ放送コンテンツはデータ放送開始時のスタートアップ文書に設定されている。そして、放送受信部で受信する放送信号にデータ放送の自動起動を指示するシステム記述子が含まれているときに、擬似データ放送コンテンツ処理部は、擬似データ放送コンテンツの処理を起動するように構成されている。
【００２３】
また、本願の請求項７に記載の技術は、
受信した放送コンテンツを表示する放送コンテンツ表示ステップと、
データ連動ボタンの操作に応じて放送コンテンツに付随するデータ放送コンテンツの起動を指示する第１の指示部と、その他のキー又はボタンの操作に応じてネットワーク上の所定のサイトへの遷移を指示する第２の指示部を有する擬似データ放送コンテンツを処理する擬似データ放送コンテンツ処理ステップと、
前記データ連動ボタンが操作されたことに応じて、放送コンテンツに付随するデータ放送コンテンツを処理して、データ放送画面を表示するデータ放送コンテンツ処理ステップと、
前記その他のキー又はボタンが操作されたことに応じて、前記ネットワーク上の所定のサイトのポータル画面へ遷移するネットワーク処理ステップと、
を有する表示制御方法である。
【００２４】
また、本願の請求項８に記載の技術は、
データ放送コンテンツを多重化した放送信号を送信する放送局と、放送信号を受信する受信局で構成され、
前記受信局は、
データ連動ボタンの操作に応じて放送コンテンツに付随するデータ放送コンテンツの起動を指示する第１の指示部と、その他のキー又はボタンの操作に応じてネットワーク上の所定のサイトへの遷移を指示する第２の指示部を有する擬似データ放送コンテンツを取得し、
前記放送局がデータ放送を開始したことに伴って、擬似データ放送コンテンツの処理を起動して、
前記データ連動ボタンが操作されたことに応じて、放送コンテンツに付随するデータ放送コンテンツを処理して、データ放送画面を表示し、
前記その他のキー又はボタンが操作されたことに応じて、前記ネットワーク上の所定のサイトのポータル画面へ遷移する、
放送システムである。
【００２５】
但し、ここで言う「システム」とは、複数の装置（又は特定の機能を実現する機能モジュール）が論理的に集合した物のことを言い、各装置や機能モジュールが単一の筐体内にあるか否かは特に問わない。
【００２６】
また、本願の請求項９に記載の技術は、
データ放送コンテンツが多重化された放送信号を受信する放送受信部、
ネットワークに接続するネットワーク接続部、
放送コンテンツとデータ放送コンテンツの連動を指示するデータ連動ボタン、その他のキー又はボタンからのユーザー操作を入力する操作入力部、
表示部、
前記放送受信部又は前記ネットワーク接続部で受信した放送コンテンツを前記表示部に表示する放送コンテンツ表示部、
前記ネットワーク接続部を介して取得したネットワーク・コンテンツを処理して前記表示部に表示するネットワーク・コンテンツ処理部、
前記データ連動ボタンの操作に応じて放送コンテンツに付随するデータ放送コンテンツの起動を指示する第１の指示部と、前記その他のキー又はボタンの操作に応じて前記ネットワーク上の所定のサイトへの遷移を指示する第２の指示部を有する擬似データ放送コンテンツを処理する擬似データ放送コンテンツ処理部、
放送コンテンツに付随するデータ放送コンテンツを処理して、データ放送画面を前記表示部に表示するデータ放送コンテンツ処理部、
としてコンピューターを機能させるようコンピューター可読形式で記述されたコンピューター・プログラムである。
【００２７】
本願の請求項９に係るコンピューター・プログラムは、コンピューター上で所定の処理を実現するようにコンピューター可読形式で記述されたコンピューター・プログラムを定義したものである。換言すれば、本願の請求項９に係るコンピューター・プログラムをコンピューターにインストールすることによって、コンピューター上では協働的作用が発揮され、本願の請求項１に係る受信装置と同様の作用効果を得ることができる。
【発明の効果】
【００２８】
本明細書で開示する技術によれば、ユーザーがテレビ放送を視聴している状態からインターネット・サービスのポータル画面へ円滑に遷移して、ネットワーク・サービスを好適に利用することができる、優れた受信装置、表示制御方法、放送システム、並びにコンピューター・プログラムを提供することができる。
【００２９】
本明細書で開示する技術によれば、擬似データ放送コンテンツは画面の表示情報を持たないので、スタートアップ文書として起動しても、視聴中のテレビ放送は全画面表示のままである。また、擬似データ放送コンテンツ内では、データ連動ボタンの操作に応じて本来のデータ放送コンテンツに遷移することと、データ連動ボタン以外のキー又はボタンの操作に応じて所定のサービス・サイトへ遷移することが記述されている。したがって、ユーザーはテレビ放送を視聴しているときに、データ連動ボタンを操作することによって、従来通りのデータ放送画面を利用することができ、ユーザーの混乱を招くことがない。一方、カラーキーなどのデータ連動ボタン以外をユーザーが操作することによって、テレビ放送の表示画面からインターネット・サービスのポータル画面へ直接遷移することができる。すなわち、テレビ番組を視聴時に、テレビ受像機のメニュー画面などを経由することなく、インターネット・サービスのポータル画面へ遷移するので、ユーザーはインターネット・サービスを円滑に利用することができる。
【００３０】
本明細書で開示する技術によれば、受信機のメニュー画面ではなく擬似データ放送コンテンツでサービス・サイトへのリンク情報を指定するので、メーカー横断的なインターネット・サービスを実現することができる。また、擬似データ放送コンテンツを複数の放送番組、放送局に跨って提供すれば、放送番組横断的、放送局横断的なインターネット・サービスを実現することができる。
【００３１】
本明細書で開示する技術のさらに他の目的、特徴や利点は、後述する実施形態や添付する図面に基づくより詳細な説明によって明らかになるであろう。
【図面の簡単な説明】
【００３２】
【図１】図１は、本明細書で開示する技術が適用される放送システム１００の構成を模式的に示した図である。
【図２】図２は、受信端末１０３の内部構成を示した図である。
【図３】図３は、受信端末１０３をリモコン操作可能なリモコンの操作面の構成例を示した図である。
【図４】図４は、データ放送サービス利用時のテレビ受像機のリモコン操作に応じた画面遷移例を示した図である。
【図５】図５は、擬似データ放送コンテンツのソース・コードの一例を示した図である。
【図６】図６は、擬似データ放送コンテンツをスタートアップ文書として利用するときの、受信端末１０３のリモコン操作に応じた画面遷移例を示した図である。
【図７Ａ】図７Ａは、受信端末１０３がデータ放送サービス利用時に実行する処理手順（視聴処理）を示したフローチャートである（スタートアップ文書としての擬似データ放送コンテンツをデータ放送の一部として受信する場合）。
【図７Ｂ】図７Ｂは、受信端末１０３がデータ放送サービス利用時に実行する処理手順（データ放送処理）を示したフローチャートである（スタートアップ文書としての擬似データ放送コンテンツをデータ放送の一部として受信する場合）。
【図７Ｃ】図７Ｃは、受信端末１０３がデータ放送サービス利用時に実行する処理手順（ＶｏＤ処理）を示したフローチャートである（スタートアップ文書としての擬似データ放送コンテンツをデータ放送の一部として受信する場合）。
【図８Ａ】図８Ａは、受信端末１０３がデータ放送サービス利用時に実行する処理手順（視聴処理）を示したフローチャートであ（スタートアップ文書としての擬似データ放送コンテンツを受信端末１０３内に組み込んでいる場合）。
【図８Ｂ】図８Ｂは、受信端末１０３がデータ放送サービス利用時に実行する処理手順（データ放送処理）を示したフローチャートであ（スタートアップ文書としての擬似データ放送コンテンツを受信端末１０３内に組み込んでいる場合）。
【図８Ｃ】図８Ｃは、受信端末１０３がデータ放送サービス利用時に実行する処理手順（ＶｏＤ処理）を示したフローチャートであ（スタートアップ文書としての擬似データ放送コンテンツを受信端末１０３内に組み込んでいる場合）。
【発明を実施するための形態】
【００３３】
以下、図面を参照しながら本明細書で開示する技術の実施形態について詳細に説明する。
【００３４】
図１には、本明細書で開示する技術が適用される放送システム１００の構成を模式的に示している。
【００３５】
放送コンテンツを配信する放送事業者は、放送番組本体となる放送信号と放送番組に付随するデータ放送コンテンツを、放送局１０１から放送波として、受信局に向けて配信する。但し、放送信号は、図示のような地上波ではなく、放送衛星（図示しない）を用いた衛星波として配信したり、ケーブルＴＶで配信したりすることもできる。
【００３６】
また、放送事業者又はその他の事業主体は、放送番組に付随するデータ放送コンテンツを、放送波ではなく、データ放送サーバー１０２からネットワーク経由でも受信局に配信する。
【００３７】
図１では受信局を１つしか描いていないが、地上には放送信号を受信する受信局が無数に存在する。ここで言う受信局は、例えば各一般家庭内に設置されているテレビ受像機などの受信端末１０３である。受信端末１０３は、バックチャネルとして、インターネット１０４などのブロードバンド・ネットワークにも接続され、ビデオ・オン・デマンドや動画ストリーミングなどによりネットワーク・コンテンツを取得することもできる。
【００３８】
インターネット１０４上には、上述したデータ放送サーバー１０２以外にも、さまざまなサーバーが設置されている。サーバーの中には、放送番組に付随するデータ放送コンテンツ内にリンク情報が挿入されたコンテンツ・サーバー１０５があり、データ放送画面を介してリンク・コンテンツを提供することができる。
【００３９】
他方、新規に設置されたコンテンツ・サーバー１０６のリンク情報を、既存のデータ放送コンテンツに逐次挿入していくことは現実的でない。また、放送事業者以外の事業者が運用するサーバー１０７が提供するサービス・サイトへのリンク情報を、各放送局の放送番組に付随するデータ放送コンテンツ内に挿入することも現実的でない。後者のサーバー１０７の中には、特定のメーカーの端末製品、あるいは特定の放送事業者や特定の放送番組に特定しないで、メーカー横断的で放送局間横断的なインターネット・サービスを提供するものもある。メーカー横断的で放送局間横断的なインターネット・サービスの一例として、ビデオ・オン・デマンドを挙げることができる。
【００４０】
なお、図示の放送システム１００において、放送信号の符号化には、例えばＭＰＥＧ２方式が用いられるものとする。また、放送や通信ネットワークなどデータの伝送誤りが発生する環境に適用されることを想定して、ストリームの多重化にはＭＰＥＧ２−ＴＳ（Ｔｒａｎｓｐｏｒｔ  Ｓｔｒｅａｍ）方式が用いられる。
【００４１】
ＭＰＥＧ２−ＴＳでは、１８８バイトの固定長のＴＳパケットが複数個集まって、トランスポート・ストリームが構成される。この１８８バイトのＴＳパケットの長さは、ＡＴＭ（Ａｓｙｎｃｈｒｏｎｏｕｓ  Ｔｒａｎｓｆｅｒ  Ｍｏｄｅ）セル長との整合性を考慮して決定されている。ＴＳパケットは、４バイトの固定長のパケット・ヘッダーと、可変長のアダプテーション・フィールド、ペイロードで構成される。パケット・ヘッダーには、ＰＩＤ（パケット識別子）や各種のフラグが定義されている。ＰＩＤにより、ＴＳパケットの種類が識別される。
【００４２】
さらに、トランスポート・ストリームには、ＰＳＩ（Ｐｒｏｇｒａｍ  Ｓｐｅｃｉｆｉｃ  Ｉｎｆｏｒｍａｔｉｏｎ）やＳＩ（Ｓｅｒｖｉｃｅ  Ｉｎｆｏｒｍａｔｉｏｎ）のセクション形式のテーブルで記述された情報（システム記述子）のパケットが含まれている。
【００４３】
ここで、ＰＳＩは、所望の放送のチャンネルを選択して受信するシステムで必要な情報（選局のための制御情報）であり、これには、ＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＮＩＴ（Ｎｅｔｗｏｒｋ  Ｉｎｆｏｒｍａｔｉｏｎ  Ｔａｂｌｅ）、ＣＡＴ（Ｃｏｎｄｉｔｉｏｎ  Ａｃｃｅｓｓ  Ｔａｂｌｅ）などのセクションがある。ＰＡＴにはプログラム番号に対応するＰＭＴのＰＩＤなどが記述されている。ＰＭＴには対応するプログラムに含まれる映像、音声、付加データ及びＰＣＲのＰＩＤが記述される。ＮＩＴには、放送システム全体に関する詳細情報が記述され、例えばネットワークに含まれるすべてのプログラムの情報や、目的のプログラムがどの搬送波周波数で送られているかが記述されている。ＣＡＴには、限定受信方式の識別と契約情報などの個別情報に関する情報が記述される。
【００４４】
一方、ＳＩは、放送事業者のサービスに用いるセクションである。ＳＩとしては、ＥＩＴ（Ｅｖｅｎｔ  Ｉｎｆｏｒｍａｔｉｏｎ  Ｔａｂｌｅ）やＳＤＴ（Ｓｅｒｖｉｃｅ  Ｄｅｓｃｒｉｐｔｉｏｎ  Ｔａｂｌｅ）などのセクションがある。ＥＩＴは、番組の詳細情報及び放送時間などが記述されている。受信機側では、これらのセクションを処理することにより、番組表（ＥＰＧ）を表示したり、録画予約したりする。
【００４５】
図２には、受信端末１０３の内部構成を示している。受信端末１０３は、放送事業者から配信される放送コンテンツやコンテンツ・プロバイダーなどから提供されるＡＶコンテンツ、並びにアプリケーション・データ（ＢＭＬ形式で記述されたデータ放送コンテンツなど）を、放送局１０１からの放送波とインターネット１０４のそれぞれの伝送系を経由して受信し、再生などの処理をする。受信端末１０３は、例えばテレビ受像機や、パーソナル・コンピューター、携帯電話機などの機器に相当する。
【００４６】
受信端末１０３は、放送受信部２０１と、ネットワーク接続部２０２と、デマルチプレクサー（ＤＥＭＵＸ）２０３と、演算処理部２０４と、操作入力部２０６と、表示部２０７と、スピーカー部２０８を備えている。
【００４７】
放送受信部２０１は、放送局１０１から配信される放送信号を受信する。放送信号は、放送コンテンツにデータ放送コンテンツが多重化されたトランスポート・ストリームである。また、ネットワーク接続部２０２は、インターネット１０４への接続を処理し、データ放送サーバー１０２を始め各種サーバーにアクセスして、Ａ5コンテンツ及びデータ放送コンテンツ受信することが可能である。
【００４８】
デマルチプレクサー２０３は、放送受信部２０１及びネットワーク接続部２０２により受信したトランスポート・ストリームを、多重化前の映像、音声、データ放送コンテンツなどに分離する。
【００４９】
演算処理部２０４は、ＣＰＵ（Ｃｅｎｔｒａｌ  Ｐｒｏｃｅｓｓｉｎｇ  Ｕｎｉｔ）とメイン・メモリーとＲＯＭ（Ｒｅａｄ  Ｏｎｌｙ  Ｍｅｍｏｒｙ）で構成される（いずれも図示しない）。ＣＰＵは、ＲＯＭに格納されているソフトウェア・プログラムをメイン・メモリーに展開して実行する。
【００５０】
ＣＰＵがＲＯＭに格納されたソフトウェア・プログラムを実行して実現される機能として、システム記述子解析部２４１、データ放送エンジン２４２、メディア再生処理部２４３などが挙げられる。
【００５１】
データ放送エンジン２４２は、ＢＭＬブラウザーやＨＴＭＬブラウザーの機能を備え、放送受信部２０１やネットワーク接続部２０２で受信したデータ放送コンテンツ、ネットワーク・コンテンツの解析を行ない、データ放送画面やブラウザー表示画面の表示処理を行なう。
【００５２】
メディア再生処理部２４３は、メディア・プレイヤーの機能を備え、放送受信部２０１やネットワーク接続部２０２で受信した、ＭＰＥＧ２形式の放送コンテンツ、ＡＶコンテンツの再生処理を行なう。
【００５３】
システム記述子解析部２４１は、放送受信部２０１やネットワーク接続部２０２で受信したトランスポート・ストリームに含まれるシステム記述子（前述）を解析して、データ放送エンジン２４２やメディア再生処理部２４３の起動、停止などの動作を制御する。
【００５４】
表示部２０７は、データ放送エンジン２４２により処理された文書（ＢＭＬコンテンツやＸＭＬコンテンツ）や画像を表示したり、メディア再生処理部２４３により再生されたＡＶコンテンツの映像信号を表示したりする。また、スピーカー部２０８は、例えば、メディア再生処理部２４３により再生されたＡＶコンテンツの音声信号を出力する。
【００５５】
操作入力部２０６は、受信端末１０３の本体に設けられたキー操作部やリモコン信号の受信部（いずれも図示しない）を装備し、ユーザーからの入力操作を受け付けて演算処理部２０４に通知する。
【００５６】
本実施形態では、受信端末１０３は、インターネット接続機能を備えたディジタル・テレビ受像機を想定している。図３には、受信端末１０３をリモコン操作可能なリモコンの操作面の構成例を示している。図示のリモコン操作面は、テレビ受像用キー領域３０１と、データ放送用キー領域３０２と、数字キー領域３０３と、電源オン／オフ・ボタン３０４を備えている。
【００５７】
テレビ受像用キー領域３０１内には、音量調整用の「Ｖｏｌ＋」ボタン３０１Ａ、「Ｖｏｌ−」ボタン３０１Ｂ、選局用の「ＣＨ＋」ボタン３０１Ｃ、「ＣＨ−」ボタン３０１Ｄ、「メニュー（Ｍｅｎｕ）」ボタン３０１Ｅ、「消音（Ｍｕｔｅ）」ボタン３０１Ｆなどが配置されている。
【００５８】
また、データ放送用キー領域３０２には、データ連動用の「ｄボタン」３０２Ａ、赤、緑、黄色、青の各カラーキー３０２Ｂ〜３０２Ｅや、カーソル・キー３０２Ｆ、決定キー３０２Ｇ、データ連動（データ放送画面）の終了を指示する「Ｅｘｉｔ」ボタン３０２Ｈ、前画面への遷移を指示する「Ｂａｃｋ」ボタン３０２Ｉなどが配置されている。
【００５９】
また、数字キー領域３０３には、０〜９の英数字キーが配置されている。
【００６０】
基本的には、テレビ受像用キー領域３０１内のキーは、テレビ放送番組の視聴操作にのみ使用され、データ放送用キー領域３０２内のキーは、データ放送画面上での操作にのみ使用される。また、数字キー領域３０３内の英数字キーは、テレビ放送番組及びデータ放送画面の双方の操作で共用される。付言すれば、データ放送用キーに関しては、メーカー独自の機能を割り当てることはない。
【００６１】
データ放送用キー領域３０２内の各キーの操作に応じた動作は、データ放送コンテンツ内でスクリプト形式により記述されている。したがって、データ放送アプリケーションの起動中に、データ放送用キー領域３０２内のキー操作に応じたリモコン信号を受信すると、データ放送エンジン２４２は、スクリプトの記述に従って各データ・イベントの処理を実行することで、データ放送画面上での動作を制御する。
【００６２】
図４には、データ放送サービス利用時の受信端末１０３のリモコン操作に応じた画面遷移例を示している。
【００６３】
データ放送の開始前では、視聴中すなわち選局中の放送番組の映像を表示部２０７の画面全体で表示している。ここで、「ｄボタン」を押してデータ放送を起動すると、データ放送画面に遷移する。図示の例では、データ放送画面内の放送番組の映像領域は、データ放送コンテンツ内で規定されているサイズに縮退する。また、データ放送画面には、メデータ放送コンテンツに含まれる文字情報や画像などのメディア・データも表示されている。
【００６４】
データ放送画面には、１以上のメニュー・ボタンも配置されており、例えばリモコンのカラーキーを使って各メニューを選択することができる。図示の例では、赤のカラーキーを押したことによって、次のデータ放送画面に遷移している。この画面では、同様に放送番組の映像領域は縮退されている。
【００６５】
データ放送の表示状態で「ｄボタン」（若しくは「Ｅｘｉｔ」ボタン）を押すと、データ放送が終了し、元の放送番組の全画面映像に復帰する。また、データ放送の表示状態で「Ｂａｃｋ」ボタンを押すと、１つ前のデータ放送画面に遷移する。
【００６６】
また、図示を省略したが、データ放送の開始前で「Ｍｅｎｕ」ボタンを押すと、当該製品で用意されたメニュー画面若しくはメーカー独自のポータル画面に遷移する。
【００６７】
一般に、リモコン上のｄボタンはデータ放送アプリケーションの起動に、カラーキーはデータ放送画面上での操作（メニュー選択など）に、それぞれ専ら利用される。例えば、データ放送コンテンツ内のスクリプトの記述を変更することで、ｄボタン並びにカラーキーに独自機能を割り当てることも可能であるが、ユーザーの混乱を招くおそれがある（前述）。このため、本実施形態においても、データ放送用キー領域３０２内のキーに関しては、受信端末１０３の装置メーカーがデータ放送用途以外のメーカー独自の機能を割り当てることはないものとする。したがって、データ放送アプリケーションが動作していないときは、カラーキーを押しても何も起きない。また、データ放送コンテンツが配信されていない状態では、ｄボタンを押しても何も起きない。
【００６８】
ここで、受信端末１０３がインターネット接続機能を備える場合、データ放送サービスとネットワーク・サービスの両方を享受することができる。ところが、従来の製品では、テレビ放送を全画面で表示している状態でユーザーがビデオ・オン・デマンドのようなインターネット・サービスを利用したくなったときには、受信端末１０３内で用意されたメニュー画面若しくはメーカー独自のポータル画面を一旦経由する必要がある。すなわち、ユーザーは、視聴中の放送番組の全画面映像表示からＶｏＤポータルのような所望のサービス・サイトに直接遷移することはできず、面倒である。また、メーカー独自のポータル画面を介してインターネット・サービスを提供する場合、メーカー横断で同じインターネット・サービスを提供することは現実的でない。
【００６９】
あるいは、データ放送サービスを通して受信端末１０３にインターネット・サービスを提供することもできる。この場合は、受信端末１０３上では、データ放送画面に一旦遷移する必要があり、表示部２０７で放送番組を全画面で表示している状態から所望のサービス・サイトに直接遷移できないことは上述と相違ない。また、すべての放送番組でサービスを提供するには、各放送番組のデータ放送コンテンツに対してリンク情報を挿入する修正を行なう必要があり、放送事業者の作業負担が過大である。また、放送局間を横断するインターネット・サービスを提供するには、各放送事業者においてデータ放送コンテンツ内に共通のリンク情報を挿入する必要があり、実現が難しい。
【００７０】
そこで、本明細書で開示する技術では、データ放送コンテンツと同じくＢＭＬ形式で記述されたコンテンツを使って、サービス・サイトへのリンク情報を受信端末１０３に供給することで、メーカー独自のメニュー画面に依存しない、メーカー横断的なインターネット・サービスを実現するようにしている。放送番組に付随する本来のデータ放送コンテンツと区別するために、サービス・サイトへのリンク情報を提供するためのＢＭＬコンテンツのことを、以下では「擬似データ放送コンテンツ」と呼ぶことにする。
【００７１】
擬似データ放送コンテンツは、ＢＭＬ形式で記述されている。したがって、受信端末１０３は、通常のデータ放送の処理機能（すなわち、データ放送エンジン２４２）により、本来のデータ放送コンテンツと同様に、擬似データ放送コンテンツを処理することができる。
【００７２】
ここで、擬似データ放送コンテンツは、静止画、動画、図形・文字といった表示系のメディア・データを含まず、また、データ放送画面の表現形式に関しては記述していない、ＢＭＬ形式ファイルである。したがって、擬似データ放送コンテンツが起動しても、放送番組の表示映像は全画面表示状態のままであり、ユーザーは、擬似データ放送コンテンツが起動していることを意識しないで済む。擬似データ放送コンテンツは、画面に表示されないので、「透明」なデータ放送ということもできる。
【００７３】
また、擬似データ放送コンテンツは、リモコン上のボタンやキー操作に応じた受信端末１０３の動作を記述したスクリプトを含んでいる。具体的には、リモコン上のボタンやキー操作に応じた受信端末１０３の動作として、（１）リモコンのｄボタンが操作されると、本来データ放送として実行すべきデータ放送コンテンツを起動することと、（２）カラーキーなどｄボタン以外のキーが操作されると、所定のサービス・サイトへ遷移すること、がスクリプトで記述されている。
【００７４】
擬似データ放送コンテンツを受信端末１０３に提供する形態は任意である。本来のデータ放送コンテンツと同様に、放送コンテンツ本体に付随して、放送局１０１から配信するようにしてもよい。あるいは、インターネット１０４など放送以外の伝送媒体で擬似データ放送コンテンツを配信するようにしてもよい。また、受信端末１０３の製品内に擬似データ放送コンテンツのデータを演算処理部２０４内のＲＯＭなどにあらかじめ組み込んでおいてもよい。
【００７５】
受信端末１０３で選局受信した放送信号にデータ放送が含まれる場合、受信端末１０３上では、擬似データ放送コンテンツが自動的に起動される。日本国内の放送規格では、放送信号のシステム記述子の１つであるＰＭＴ（前述）内に“ａｕｔｏｓｔａｒｔ＿ｆｌａｇ”フラグを立てることによって、データ放送の開始とともに、データ放送コンテンツを自動起動させることができる。システム記述子解析部２４１がＰＭＴを始めとするシステム記述子を解析して、“ａｕｔｏｓｔａｒｔ＿ｆｌａｇ”フラグが立っていることを検出すると、データ放送エンジン２４２に対してデータ放送コンテンツの解析すなわちデータ放送の起動を指示する。また、データ放送コンテンツを起動させた際のトップ・ページすなわちスタートアップ文書のファイル名は“ｓｔａｒｔｕｐ．ｂｍｌ”と定められている。したがって、擬似データ放送コンテンツのファイル名を“ｓｔａｒｔｕｐ．ｂｍｌ”にして、本来のデータ放送コンテンツのスタートアップ文書と置き換えることにする。これに伴って、本来のデータ放送コンテンツのスタートアップ文書のファイル名をそれ以外（例えば、“ｓｔａｒｔｕｐ２．ｂｍｌ”）に変更しておく。すると、データ放送の開始とともにデータ放送エンジン２４２が擬似データ放送コンテンツをスタートアップ文書として扱い、これを自動起動させることができる。
【００７６】
勿論、本明細書で開示する技術の要旨は、擬似データ放送コンテンツをスタートアップ文書として自動起動させることに限定されない。例えば、擬似データ放送コンテンツを放送波で提供するのではなく、受信端末１０３内にあらかじめ組み込んでおく場合などにおいて、ユーザー操作により強制的に擬似データ放送コンテンツを起動させるようにしてもよい。
【００７７】
図５には、擬似データ放送コンテンツのソース・コードの一例を示している。図示のように、擬似データ放送コンテンツは、リモコンの“ｓｅｌｅｃｔ”キーが操作されたときに実行する受信端末１０３の動作を記述したスクリプト部分と、リモコンのｄボタンが操作されたときに実行する受信端末１０３の動作を記述したスクリプト部分を含んでいる。
【００７８】
前者のスクリプト部分では、“ｓｅｌｅｃｔ”キーの操作により所定のサービス・サイト（“http://www.broadcast.sony.co.jp/vod_portal.bml”）へ遷移することが記述されている。ここで言う“ｓｅｌｅｃｔ”キーとは、カラーキーなど、リモコン上のｄボタン以外のキーのことである。また、後者のスクリプト部分では、リモコンのｄボタンが操作されたときに本来データ放送として実行すべきデータ放送コンテンツの基点（トップ・ページ“ｓｔａｒｔｕｐ２．ｂｍｌ”）に遷移することが記述されている。
【００７９】
また、図示の擬似データ放送コンテンツのソース・コードは、上記のスクリプト以外に、静止画、動画、図形・文字などの表示情報やデータ放送画面の表現形式に関する記述を含んでいない。したがって、擬似データ放送コンテンツは透明なデータ放送画面であり、起動しても、表示部２０７で表示される放送番組の映像は全画面表示のままである。
【００８０】
図６には、擬似データ放送コンテンツをスタートアップ文書として利用するときの、受信端末１０３のりも離婚操作に応じた画面遷移例を示している。
【００８１】
データ放送の開始前では、視聴中すなわち選局中の放送番組の映像を画面全体で表示している。
【００８２】
ここで、データ放送の開始とともに、ファイル名“ｓｔａｒｔｕｐ．ｂｍｌ”が付けられた擬似データ放送コンテンツがスタートアップ文書として起動する。あるいは、ユーザー操作により強制的に擬似データ放送コンテンツを起動してもよい。上述したように、擬似データ放送コンテンツは、表示画面の表現形式に関する記述を含まない「透明」なデータ放送であることから、起動しても放送番組の全画面表示のままである。
【００８３】
この擬似データ放送画面で、リモコンのｄボタンが操作されたときには、データ・イベント“ｄａｔａ＿ｂｕｔｔｏｎ＿ｐｒｅｓｓｅｄ”が発行される。このデータ・イベントが発生したときには、本来データ放送として実行すべきデータ放送コンテンツの基点（トップ・ページ“ｓｔａｒｔｕｐ２．ｂｍｌ”）に遷移する。本来のデータ放送画面に遷移した以降の動作は、図４を参照しながら既に説明した通りなので、ここでは説明を省略する。
【００８４】
一方、擬似データ放送画面で、リモコンの“ｓｅｌｅｃｔ”キーが操作されたときには、ＶｏＤポータルなど所定のサービス・サイト（“http://www.broadcast.sony.co.jp/vod_portal.bml”）のポータル画面へ遷移する。
【００８５】
図６に示した画面遷移例では、擬似データ放送コンテンツが起動している状態でｄボタンが押されると、表示部２０７では、放送番組の全画面表示から本来のデータ放送画面に遷移する。したがって、図４に示した画面遷移例と同様に、ユーザーにとってはｄボタンを操作するとデータ放送が開始するという見え方と相違ないので、ユーザーの混乱を招くことはないと思料される。また、“ｓｅｌｅｃｔ”キーが押されると、放送番組の全画面表示からサービス・サイトのポータル画面へ遷移するので、ユーザーは、カラーキー若しくは何かのリモコン・ボタンを押すとポータル画面に遷移するように感じる。
【００８６】
図３に示したように、リモコン上にはカラーキーは複数あるので、色毎に放送局を限定したり、特殊なコンテンツのみをリストするようなサービス・サイトに遷移したりするようにしてもよい。また、カラーキーの色毎に異なる種類のデータ放送コンテンツへ遷移するといった変形例も考えられる。
【００８７】
擬似データ放送コンテンツはメーカー毎の独自メニュー画面でないという観点から、メーカー横断で共通のサービス・サイトへの遷移を実現することができる。また、擬似データ放送コンテンツは、特定の放送番組や放送事業者にのみ付随させないようにすることによって、放送番組横断、放送局間横断で共通のサービス・サイトへの遷移を実現することができる。
【００８８】
通常のデータ放送画面は、図４に示したように放送番組の映像が縮退される。これに対し、擬似データ放送画面は、図６に示したように「透明」な表示画面であり、表示部２０７は放送番組を全画面で表示する。したがって、擬似データ放送コンテンツをデータ放送のスタートアップ文書に置き換えると、リモコン上でｄボタン以外のボタン又はキーを操作することによって、視聴中のテレビ番組の画面からインターネット・サービスのポータル画面へ直接遷移するように見えるので、ユーザーはインターネット・サービスを円滑に利用することができる。
【００８９】
図７Ａ〜図７Ｃには、受信端末１０３がデータ放送サービス利用時に実行する処理手順をフローチャートの形式で示している。但し、スタートアップ文書としての擬似データ放送コンテンツをデータ放送の一部として受信する場合の例とする。
【００９０】
ユーザーが受信端末１０３においてテレビ番組の視聴を開始すると、放送受信部２０１が放送選局処理を行ない（ステップＳ７０１）、デマルチプレクサー２０３が多重化された放送信号の分離処理を行なう（ステップＳ７０２）。そして、メディア再生処理部２４３は、ステップＳ７０２で分離処理された映像及び音声信号を再生処理して、表示部２０７で映像を画面表示するとともにスピーカー部２０８から音声出力する（ステップＳ７０３）。
【００９１】
ここで、ユーザーがリモコンのチャンネル・ボタン（ＣＨ＋、ＣＨ−）を操作するなどして選局を行なうと（ステップＳ７０４のＹｅｓ）、ステップＳ７０１に復帰して、放送受信部２０１が放送選局処理をし直す。
【００９２】
そして、受信端末１０３の電源がオフになるまで（ステップＳ７０５のＮｏ）、上記の処理Ｓ７０１〜Ｓ７０４を繰り返し行なう。
【００９３】
システム記述子解析部２４１は、ステップＳ７０２で分離処理された放送信号に含まれているＰＭＴを始めとするシステム記述子を解析する。そして、ＰＭＴ内に“ａｕｔｏｓｔａｒｔ＿ｆｌａｇ”フラグが立っていることを検出すると、データ放送エンジン２４２に対してスタートアップ文書の起動を指示する。
【００９４】
データ放送エンジン２４２は、ステップＳ７０２における放送信号の分離処理から、ファイル名“ｓｔａｒｔｕｐ．ｂｍｌ”が付けられたスタートアップ文書をデータ放送から取得して（ステップＳ７１１）、これを起動する。
【００９５】
ここでは、データ放送から取得するスタートアップ文書は、擬似データ放送コンテンツである。上述したように擬似データ放送コンテンツは、リモコン上のボタンやキー操作に応じた受信端末１０３の動作として、（１）リモコンのｄボタンが操作されると、本来データ放送として実行すべきデータ放送コンテンツを起動することと、（２）カラーキーなどｄボタン以外のキーが操作されると、所定のサービス・サイトへ遷移すること、がスクリプトで記述されている。また、擬似データ放送コンテンツは、データ放送画面の表現形式に関しては記述していない「透明」なＢＭＬコンテンツであるから、起動した後も、ステップＳ７０３で再生出力した放送番組の全画面表示のままである。
【００９６】
リモコンの“ｓｅｌｅｃｔ”キーが操作されてことに応じて（ステップＳ７１２のＹｅｓ）、擬似データ放送コンテンツ内にリンク情報が記述されている所定のサービス・サイトのポータル画面に遷移する。ここでは、ＶｏＤポータルに遷移してＶｏＤ処理を行なうものとする（後述）。
【００９７】
また、リモコンのｄボタンが操作されたときには（ステップＳ７１３のＹｅｓ）、“ｄａｔａ＿ｂｕｔｔｏｎ＿ｐｒｅｓｓｅｄ”イベントが発行され、本来データ放送として実行すべきデータ放送コンテンツの基点（トップ・ページ“ｓｔａｒｔｕｐ２．ｂｍｌ”）に遷移する（ステップＳ７１４）。本来のデータ放送画面に遷移した以降の動作は、図４を参照しながら既に説明した通りなので、ここでは説明を省略する。
【００９８】
そして、データ放送エンジン２４２は、本来のデータ放送画面において、「ｄボタン」（若しくは「Ｅｘｉｔ」ボタン）のデータ・イベントを受信すると（ステップＳ７１５のＹｅｓ）、データ放送を終了する。処理はステップＳ７０１に復帰して、放送受信部２０１が放送選局処理をし直す。
【００９９】
受信端末１０３は、リモコンの“ｓｅｌｅｃｔ”キーが操作されてことに応じて（ステップＳ７１２のＹｅｓ）、画面がＶｏＤポータルに遷移して、データ放送エンジン２４２によりＶｏＤ再生用ポータル表示処理を行なう（ステップＳ７２１）。
【０１００】
ユーザーがリモコンなどを介してＶｏＤポータル画面の終了を指示したときには（ステップＳ７２２のＹｅｓ）、ステップＳ７０２に復帰して、デマルチプレクサー２０３が多重化された放送信号の分離処理を行なう。
【０１０１】
また、ＶｏＤポータル画面上で、ユーザーがリモコンなどの操作入力部２０６を介してビデオ・コンテンツの再生を指示すると（ステップＳ７２３のＹｅｓ）、ＶｏＤ再生処理が実行される（ステップＳ７２４）。この場合、ネットワーク接続部２０２が、インターネット１０４を経由して、指示されたビデオ・コンテンツを取得する。そして、メディア再生処理部２４３が、取得したビデオ・コンテンツの再生処理を行なう。
【０１０２】
ユーザーがＶｏＤ再生処理の終了を指示したとき（ステップＳ７２５のＹｅｓ）、又は、ＶｏＤ再生処理が終了したときには（ステップＳ７２６のＹｅｓ）、ステップＳ７２１に戻り、データ放送エンジン２４２によりＶｏＤ再生用ポータル表示処理を行なう。
【０１０３】
図８Ａ〜図８Ｃには、受信端末１０３がデータ放送サービス利用時に実行する処理手順をフローチャートの形式で示している。但し、スタートアップ文書としての擬似データ放送コンテンツを受信端末１０３内に組み込んでいる場合の例とする。
【０１０４】
ユーザーが受信端末１０３においてテレビ番組の視聴を開始すると、放送受信部２０１が放送選局処理を行なう（ステップＳ８０１）。
【０１０５】
また、テレビ番組の視聴開始に合わせて、データ放送エンジン２４２は、受信端末１０３内に組み込まれているスタートアップ文書を読み出して、データ放送を起動する（ステップＳ８０２）。
【０１０６】
次いで、デマルチプレクサー２０３が多重化された放送信号の分離処理を行なう（ステップＳ８０３）。そして、メディア再生処理部２４３は、ステップＳ８０３で分離処理された映像及び音声信号を再生処理して、表示部２０７で映像を画面表示するとともにスピーカー部２０８から音声出力する（ステップＳ８０４）。
【０１０７】
ここで、ユーザーがリモコンのチャンネル・ボタン（ＣＨ＋、ＣＨ−）を操作するなどして選局を行なうと（ステップＳ８０５のＹｅｓ）、ステップＳ７０１に復帰して、放送受信部２０１が放送選局処理をし直す。
【０１０８】
そして、受信端末１０３の電源がオフになるまで（ステップＳ８０６のＮｏ）、上記の処理Ｓ８０１〜Ｓ８０５を繰り返し行なう。
【０１０９】
データ放送エンジン２４２では、ステップＳ８０２においてスタートアップ文書を起動している。ここでは、スタートアップ文書は、擬似データ放送コンテンツである。上述したように擬似データ放送コンテンツは、リモコン上のボタンやキー操作に応じた受信端末１０３の動作として、（１）リモコンのｄボタンが操作されると、本来データ放送として実行すべきデータ放送コンテンツを起動することと、（２）カラーキーなどｄボタン以外のキーが操作されると、所定のサービス・サイトへ遷移すること、がスクリプトで記述されている。また、擬似データ放送コンテンツは、データ放送画面の表現形式に関しては記述していない「透明」なＢＭＬコンテンツであるから、起動した後も、ステップＳ８０４で再生出力した放送番組の全画面表示のままである。
【０１１０】
リモコンの“ｓｅｌｅｃｔ”キーが操作されてことに応じて（ステップＳ８１１のＹｅｓ）、擬似データ放送コンテンツ内にリンク情報が記述されている所定のサービス・サイトのポータル画面に遷移する。ここでは、ＶｏＤポータルに遷移してＶｏＤ処理を行なうものとする（後述）。
【０１１１】
また、リモコンのｄボタンが操作されたときには（ステップＳ８１２のＹｅｓ）、ｄａｔａ＿ｂｕｔｔｏｎ＿ｐｒｅｓｓｅｄイベントが発行される。これに応答して、データ放送エンジン２４２は、本来データ放送として実行すべきデータ放送コンテンツのトップ・ページ文書“ｓｔａｒｔｕｐ２．ｂｍｌ”をデータ放送から取得して（ステップＳ８１３）、本来のデータ放送画面に遷移する（ステップＳ８１４）。本来のデータ放送画面に遷移した以降の動作は、図４を参照しながら既に説明した通りなので、ここでは説明を省略する。
【０１１２】
そして、データ放送エンジン２４２は、本来のデータ放送画面において、「ｄボタン」（若しくは「Ｅｘｉｔ」ボタン）のデータ・イベントを受信すると（ステップＳ８１５のＹｅｓ）、データ放送を終了する。処理はステップＳ７０１に復帰して、放送受信部２０１が放送選局処理をし直す。
【０１１３】
受信端末１０３は、リモコンの“ｓｅｌｅｃｔ”キーが操作されてことに応じて（ステップＳ８１１のＹｅｓ）、画面がＶｏＤポータルに遷移して、データ放送エンジン２４２によりＶｏＤ再生用ポータル表示処理を行なう（ステップＳ８２１）。
【０１１４】
ユーザーがリモコンなどを介してＶｏＤポータル画面の終了を指示したときには（ステップＳ８２２のＹｅｓ）、ステップＳ８０２に復帰して、データ放送エンジン２４２は、受信端末１０３内に組み込まれているスタートアップ文書を再び起動する。
【０１１５】
また、ＶｏＤポータル画面上で、ユーザーがリモコンなどの操作入力部２０６を介してビデオ・コンテンツの再生を指示すると（ステップＳ８２３のＹｅｓ）、ＶｏＤ再生処理が実行される（ステップＳ８２４）。この場合、ネットワーク接続部２０２が、インターネット１０４を経由して、指示されたビデオ・コンテンツを取得する。そして、メディア再生処理部２４３が、取得したビデオ・コンテンツの再生処理を行なう。
【０１１６】
ユーザーがＶｏＤ再生処理の終了を指示したとき（ステップＳ８２５のＹｅｓ）、又は、ＶｏＤ再生処理が終了したときには（ステップＳ８２６のＹｅｓ）、ステップＳ８２１に戻り、データ放送エンジン２４２によりＶｏＤ再生用ポータル表示処理を行なう。
【０１１７】
このように本実施形態によれば、ユーザーは全画面でテレビ放送を視聴しているときに、ｄボタンのようなデータ連動ボタンを操作することによって、従来通りのデータ放送画面を利用することができ、ユーザーの混乱を招くことがない。一方、ユーザーが全画面でテレビ放送を視聴しているときに、カラーキーをユーザーが操作することによって、インターネット・サービスのポータル画面へ直接遷移することができる。すなわち、テレビ番組を視聴時に、一度テレビ受像機のメニュー画面などを経由することなく、インターネット・サービスのポータル画面へ遷移するので、ユーザーはインターネット・サービスを円滑に利用することができる。
【０１１８】
なお、本明細書の開示の技術は、以下のような構成をとることも可能である。
（１）データ放送コンテンツが多重化された放送信号を受信する放送受信部と、ネットワークに接続するネットワーク接続部と、放送コンテンツとデータ放送コンテンツの連動を指示するデータ連動ボタン及びその他のキー又はボタンからのユーザー操作を入力する操作入力部と、表示部と、前記放送受信部又は前記ネットワーク接続部で受信した放送コンテンツを前記表示部に表示する放送コンテンツ表示部と、前記ネットワーク接続部を介して取得したネットワーク・コンテンツを処理して前記表示部に表示するネットワーク・コンテンツ処理部と、前記データ連動ボタンの操作に応じて放送コンテンツに付随するデータ放送コンテンツの起動を指示する第１の指示部並びに前記その他のキー又はボタンの操作に応じて前記ネットワーク上の所定のサイトへの遷移を指示する第２の指示部を有する擬似データ放送コンテンツを処理する擬似データ放送コンテンツ処理部と、放送コンテンツに付随するデータ放送コンテンツを処理してデータ放送画面を前記表示部に表示するデータ放送コンテンツ処理部と、を具備する受信装置。
（２）擬似データ放送コンテンツは、放送コンテンツに付随するデータ放送コンテンツと同じ記述言語形式で記述される、上記（１）に記載の受信装置。
（３）擬似データ放送コンテンツは表示情報を含まず、前記擬似データ放送コンテンツ処理部が擬似データ放送コンテンツを処理している際には前記放送コンテンツ表示部が視聴中の放送コンテンツをそのまま前記表示部に表示し続ける、上記（１）に記載の受信装置。
（４）前記擬似データ放送コンテンツ処理部は、前記放送受信部又は前記ネットワーク接続部を介して取得した擬似データ放送コンテンツを処理する、上記（１）に記載の受信装置。
（５）前記擬似データ放送コンテンツ処理部は、前記受信装置内に組み込まれた擬似データ放送コンテンツを処理する、上記（１）に記載の受信装置。
（６）擬似データ放送コンテンツはデータ放送開始時のスタートアップ文書に設定され、前記放送受信部で受信する放送信号にデータ放送の自動起動を指示するシステム記述子が含まれているときに、前記擬似データ放送コンテンツ処理部は、擬似データ放送コンテンツの処理を起動する、上記（１）に記載の受信装置。
（７）受信した放送コンテンツを表示する放送コンテンツ表示ステップと、データ連動ボタンの操作に応じて放送コンテンツに付随するデータ放送コンテンツの起動を指示する第１の指示部と並びにその他のキー又はボタンの操作に応じてネットワーク上の所定のサイトへの遷移を指示する第２の指示部を有する擬似データ放送コンテンツを処理する擬似データ放送コンテンツ処理ステップと、前記データ連動ボタンが操作されたことに応じて、放送コンテンツに付随するデータ放送コンテンツを処理して、データ放送画面を表示するデータ放送コンテンツ処理ステップと、前記その他のキー又はボタンが操作されたことに応じて、前記ネットワーク上の所定のサイトのポータル画面へ遷移するネットワーク処理ステップと、を有する表示制御方法。
（８）データ放送コンテンツを多重化した放送信号を送信する放送局と、放送信号を受信する受信局で構成され、前記受信局は、データ連動ボタンの操作に応じて放送コンテンツに付随するデータ放送コンテンツの起動を指示する第１の指示部並びにその他のキー又はボタンの操作に応じてネットワーク上の所定のサイトへの遷移を指示する第２の指示部を有する擬似データ放送コンテンツを取得し、前記放送局がデータ放送を開始したことに伴って、擬似データ放送コンテンツの処理を起動して、前記データ連動ボタンが操作されたことに応じて放送コンテンツに付随するデータ放送コンテンツを処理してデータ放送画面を表示し、前記その他のキー又はボタンが操作されたことに応じて前記ネットワーク上の所定のサイトのポータル画面へ遷移する、放送システム。
（９）データ放送コンテンツが多重化された放送信号を受信する放送受信部、ネットワークに接続するネットワーク接続部、放送コンテンツとデータ放送コンテンツの連動を指示するデータ連動ボタン及びその他のキー又はボタンからのユーザー操作を入力する操作入力部、表示部、前記放送受信部又は前記ネットワーク接続部で受信した放送コンテンツを前記表示部に表示する放送コンテンツ表示部、前記ネットワーク接続部を介して取得したネットワーク・コンテンツを処理して前記表示部に表示するネットワーク・コンテンツ処理部、前記データ連動ボタンの操作に応じて放送コンテンツに付随するデータ放送コンテンツの起動を指示する第１の指示部及び前記その他のキー又はボタンの操作に応じて前記ネットワーク上の所定のサイトへの遷移を指示する第２の指示部を有する擬似データ放送コンテンツを処理する擬似データ放送コンテンツ処理部、放送コンテンツに付随するデータ放送コンテンツを処理して、データ放送画面を前記表示部に表示するデータ放送コンテンツ処理部、としてコンピューターを機能させるようコンピューター可読形式で記述されたコンピューター・プログラム。
【産業上の利用可能性】
【０１１９】
以上、特定の実施形態を参照しながら、本明細書で開示する技術について詳細に説明してきた。しかしながら、本明細書で開示する技術の要旨を逸脱しない範囲で当業者が該実施形態の修正や代用を成し得ることは自明である。
【０１２０】
本明細書で開示する技術は、地上、衛星、ケーブルＴＶ、ＩＰＴＶを問わず、データ放送サービスを提供するさまざまな放送システムに適用することができる。
【０１２１】
また、テレビ受像機などのデータ放送画面から直接遷移する、放送局間横断的なインターネット・サービスのポータル・サイトとして、ビデオ・オン・デマンドのサイトを挙げることができるが、本明細書で開示する技術の要旨はこれに限定されるものではない。
【０１２２】
要するに、例示という形態により本明細書で開示する技術について説明してきたのであり、本明細書の記載内容を限定的に解釈するべきではない。本明細書で開示する技術の要旨を判断するためには、特許請求の範囲を参酌すべきである。
【符号の説明】
【０１２３】
１００…放送システム
１０１…放送局
１０２…データ放送サーバー
１０３…受信端末
１０４…インターネット
１０５…コンテンツ・サーバー（データ放送コンテンツ内にリンク情報あり）
１０６…コンテンツ・サーバー（データ放送コンテンツ内にリンク情報なし）
１０７…サーバー（放送事業品以外が運用）
２０１…放送受信部
２０２…ネットワーク接続部
２０３…デマルチプレクサー
２０４…演算処理部
２０６…操作入力部
２０７…表示部
２０８…スピーカー部
２４１…システム記述子解析部
２４２…データ放送エンジン
２４３…メディア再生処理部
３０１…テレビ受像用キー領域
３０２…データ放送用キー領域
３０３…数字キー領域
３０４…電源オン／オフ・ボタン
【図２】
2013121046.tif 000003
【図７Ａ】
2013121046.tif 000004
【図７Ｂ】
2013121046.tif 000005
【図７Ｃ】
2013121046.tif 000006
【図８Ａ】
2013121046.tif 000007
【図８Ｂ】
2013121046.tif 000008
【図８Ｃ】
2013121046.tif 000009
【図１】
2013121046.tif 000010
【図３】
2013121046.tif 000011
【図４】
2013121046.tif 000012
【図５】
2013121046.tif 000013
【図６】
2013121046.tif 000014